(57)【要約】【課題】足触りの良い床材を提供する。【解決手段】床材の一例としての床シート１０は、潜熱蓄熱材を包含するマイクロカプセルが配合されている樹脂材料を含んでなる柔軟性を有する蓄熱シート２０を備え、使用者の足に蓄熱シートが触れるように構成される。【選択図】図１
2019143329.tif 000002
【特許請求の範囲】
【請求項１】
潜熱蓄熱材を包含するマイクロカプセルが配合されている樹脂材料を含んでなる柔軟性を有する蓄熱シートを備え、
使用者の足に前記蓄熱シートが触れるように構成されている、
床材。
【請求項２】
前記潜熱蓄熱材は、流動化し得るものであり、
前記蓄熱シートは、加飾層をさらに備え、
前記加飾層は、色材と、当該色材が付着している受理層とを含む、
請求項１に記載の床材。
【請求項３】
前記受理層は、多孔性であり、
前記蓄熱シートの樹脂層は、前記受理層の孔に前記樹脂材料を含ませることにより前記樹脂層を前記受理層に付着させることで形成されている、
請求項２に記載の床材。
【請求項４】
前記受理層は、紙又は合成樹脂不織布である、請求項２又は３に記載の床材。
【請求項５】
前記加飾層は、前記色材を含むインクにより前記受理層に印刷を施すことにより形成されている、請求項２から４のいずれか１項に記載の床材。
【請求項６】
前記インクは、放射線硬化性インクである、請求項５に記載の床材。
【請求項７】
前記蓄熱シートは、使用者の足が触れる面の最上層に保護層をさらに備える、請求項１から６のいずれか１項に記載の床材。
【請求項８】
前記潜熱蓄熱材は、パラフィンであり、
前記樹脂材料は、ポリ塩化ビニル樹脂である、
請求項１から７のいずれか１項に記載の床材。
【請求項９】
前記蓄熱シートの面のうち使用者の足が触れない面に前記蓄熱シートを支える基体が設けられている、請求項１から８のいずれか１項に記載の床材。
【発明の詳細な説明】
【技術分野】
【０００１】
本発明は、床材に関する。
【背景技術】
【０００２】
温度調節のため、潜熱蓄熱材が様々な建材に用いられてきている。
【０００３】
例えば、特許文献１は、潜熱蓄熱材が木板裏面の凹部に収容されている木質系床材を開示する。
【先行技術文献】
【特許文献】
【０００４】
【特許文献１】特開２０１５−３８２９２号公報
【発明の概要】
【発明が解決しようとする課題】
【０００５】
しかし、特許文献１の床材は、表面が木板であるため、踏み心地が硬い。また、この床材では、表面の木板自体には温度調節機能がないため、足で木板に触れたときに冷たい又は熱いことがある。総じて、特許文献１をはじめとする従来の床材は足触りが悪い。
【０００６】
本発明は、足触りの良い床材を提供することを目的とする。
【課題を解決するための手段】
【０００７】
本発明の第１の観点に係る床材は、
潜熱蓄熱材を包含するマイクロカプセルが配合されている樹脂材料を含んでなる柔軟性を有する蓄熱シートを備え、
使用者の足に前記蓄熱シートが触れるように構成されている、
ことを特徴とする。
【０００８】
以上の構成によれば、例えば、柔軟性の蓄熱シートが使用者の足裏に直接触れるため感触が柔らかく、また、使用者は適温に調節された蓄熱シートの温度を足裏で直に感じることができるなど、足触りの良い床材が得られる。
【０００９】
前記潜熱蓄熱材は、流動化し得るものであり、
前記蓄熱シートは、加飾層をさらに備え、
前記加飾層は、色材と、当該色材が付着している受理層とを含む、
ことが好ましい。
【００１０】
以上の構成によれば、足触りの良い床材が得られる。また、以上の構成によれば、潜熱蓄熱材が表面に漏れ出しても加飾層での滲み、色落ち、色材の剥離が発生しないといった好適な効果も奏し得る。
【００１１】
前記受理層は、多孔性であり、
前記蓄熱シートの樹脂層は、前記受理層の孔に前記樹脂材料を含ませることにより前記樹脂層を前記受理層に付着させることで形成されている、
ことが好ましい。
【００１２】
以上の構成によれば、足触りの良い床材が得られる。また、以上の構成によれば、潜熱蓄熱材が表面に漏れ出しても受理層が剥離しづらいといった好適な効果も奏し得る。
【００１３】
前記受理層は、紙又は合成樹脂不織布である、
ことが好ましい。
【００１４】
以上の構成によれば、足触りの良い床材が得られる。また、以上の構成によれば、潜熱蓄熱材が表面に漏れ出しても加飾層で滲みや色落ちが発生しないといった好適な効果も奏し得る。
【００１５】
前記加飾層は、前記色材を含むインクにより前記受理層に印刷を施すことにより形成されている、
ことが好ましい。
【００１６】
以上の構成によれば、足触りの良い床材が得られる。また、以上の構成によれば、加飾層の装飾性を高められるといった好適な効果も奏し得る。
【００１７】
前記インクは、放射線硬化性インクである、
ことが好ましい。
【００１８】
以上の構成によれば、足触りの良い床材が得られる。また、以上の構成によれば、加飾層の装飾性を高められるといった好適な効果も奏し得る。
【００１９】
前記蓄熱シートは、使用者の足が触れる面の最上層に保護層をさらに備える、
ことが好ましい。
【００２０】
以上の構成によれば、足触りの良い床材が得られる。また、製品寿命の延長が期待できる。
【００２１】
前記潜熱蓄熱材は、パラフィンであり、
前記樹脂材料は、ポリ塩化ビニル樹脂である、
ことが好ましい。
【００２２】
以上の構成によれば、足触りの良い床材が得られる。
【００２３】
前記蓄熱シートの面のうち使用者の足が触れない面に前記蓄熱シートを支える基体が設けられている、
ことが好ましい。
【００２４】
以上の構成によれば、足触りの良い床材が得られる。また、以上の構成によれば、加飾層の装飾性を高められるといった好適な効果も奏し得る。
【発明の効果】
【００２５】
本発明によれば、足触りの良い床材が得られる。
【図面の簡単な説明】
【００２６】
【図１】本発明の第１の実施形態に係る床材の模式断面図。
【図２】マイクロカプセル化潜熱蓄熱材の模式断面図。
【図３】本発明の第２の実施形態に係る床材の模式断面図。
【図４】本発明の第１の実施形態の変形例に係る床材の模式断面図。
【図５】本発明の第２の実施形態の変形例に係る床材の模式断面図。
【発明を実施するための形態】
【００２７】
（用語の定義）
本願明細書において、「床材」という用語は、木目調のフローリングシートに限定されるわけではなく、広く、フローリング、畳、又は打ちっぱなしのコンクリート床などをはじめとする床面上に、その装飾性又は機能性を改善するために配置される任意の構造体、例えば、シートやパネルを指す。
【００２８】
（第１の実施形態）
本発明の第１の実施形態に係る床材である床シート１０について、図面を参照しつつ、説明する。
【００２９】
床シート１０は、図１に示すように、柔軟性を有する蓄熱シート２０を備え、且つ、使用者の足に当該蓄熱シート２０が触れるように構成されている。具体的に、床シート１０は、使用者の足に触れる側に配置されている蓄熱シート２０と、その反対側（蓄熱シート２０の裏面上）に配置されている接着層３０とを備える。
【００３０】
蓄熱シート２０は、樹脂層２１を含んでなる。樹脂層２１を構成する樹脂材料には、図２に示すような、潜熱蓄熱材Ｌを包含するマイクロカプセルＭからなるマイクロカプセル化潜熱蓄熱材ＭＬが配合されている。なお、図１、３−５で、「◎」は全てマイクロカプセル化潜熱蓄熱材ＭＬを示し、例示としていくつかに符号「ＭＬ」を付している。樹脂層２１は、蓄熱シート２０の蓄熱作用の主体であり、具体的には、樹脂層２１に含まれる潜熱蓄熱材Ｌの固体・液体間の相変化に伴う吸熱・放熱により蓄熱シート２０の温度を一定範囲に調節する。潜熱蓄熱材Ｌは、特に、使用温度範囲で、流動化し得ることが好ましい。
【００３１】
潜熱蓄熱材Ｌは、床シート１０の使用温度範囲で相転移する化合物であり、例えば、０℃以上８０℃以下の、特に、０℃以上５０℃以下の融点又は凝固点を有する化合物であってもよい。潜熱蓄熱材Ｌとして、例えば、脂肪族炭化水素、芳香族炭化水素、脂肪酸、アルコール等の有機化合物や無機塩の水和物等が挙げられる。
【００３２】
潜熱蓄熱材Ｌに用いる脂肪族炭化水素としては、パラフィン等が好ましく、例えば、ペンタデカン（融点６℃）、ヘキサデカン（融点１８℃）、ヘプタデカン（融点２２℃）、オクタデカン（融点２８℃）、ノナデカン（融点３２℃）、イコサン（融点３６℃）、ドコサン（融点４４℃）等が挙げられる。これらの炭化水素は、炭素数の増加と共に融点が上昇するため、目的に応じた融点を有する炭化水素を選択したり、２種以上の炭化水素を混合して使用することが可能である。
【００３３】
潜熱蓄熱材Ｌに用いる無機塩の水和物としては、例えば、塩化カルシウム６水和物（融点２９℃）、炭酸ナトリウム１０水和物（同３２℃）、硫酸ナトリウム１０水和物（同３２℃）、リン酸水素ナトリウム１２水和物（同３６℃）、硝酸亜鉛６水和物（同３６℃）、硝酸ニッケル６水和物、チオ硫酸ナトリウム５水和物等が挙げられる。これらの無機化合物は、目的の融点に応じて２種以上の無機化合物を混合して使用することが可能である。
【００３４】
マイクロカプセルＭは、潜熱蓄熱材Ｌを封入できる任意の材料により形成できる。マイクロカプセル化潜熱蓄熱材ＭＬの製造法は公知であり、例えば、特開２００１−２７９５８２号公報に開示されている。例えば、マイクロカプセル化潜熱蓄熱材ＭＬは、界面活性剤を含有するモノマー中に潜熱蓄熱材を乳化させ、その乳化液を界面活性剤水溶液中に滴下、分散させてエマルションをつくり、系中のモノマーを重合させてマイクロカプセル化潜熱蓄熱材ＭＬを完成させる方法などにより作成できる。
【００３５】
樹脂材料は、マイクロカプセル化潜熱蓄熱材ＭＬを配合可能であり、樹脂層２１を形成した際に当該樹脂層２１が柔軟性より好ましくは弾性を有するものであれば任意である。例えば、樹脂材料として、ポリ塩化ビニル、ウレタン、ポリフェニレンサルファイド、ポリプロピレン、ポリエチレン、ポリエステル、又はアクリロニトリル−ブタジエン−スチレン樹脂などが挙げられる。
【００３６】
マイクロカプセル化潜熱蓄熱材ＭＬを配合した樹脂材料からシートを形成する方法は、公知であり、例えば、国際公開第２０１６／２０８５７３号、国際公開第２０１６／２０８５７２号、国際公開第２０１５／０９８７３９号に開示されている。例えば、樹脂層２１は、樹脂材料と、可塑剤と、潜熱蓄熱材とを混合した後、その混合物を押出成形機などの成形機を用いてシート状に成形することで得られる。
【００３７】
樹脂層２１には、色材、可塑剤、難燃剤などを配合してもよい。
【００３８】
蓄熱シート２０の厚さは、特に限定されないが、床シート１０をロール状に巻き上げて保存できる程度に薄いことが好ましく、例えば、１ｍｍから５ｍｍの範囲にあることが好ましい。
【００３９】
接着層３０は、接着剤を含有し、一方が蓄熱シート２０に接着しており、他方が、施工済みの床の表面に接着する。これにより、接着層３０は、蓄熱シート２０を前記表面に接着させる。床シート１０を保存している間の接着を抑えるために、接着層３０に剥離紙などの接着抑制層を設けることが好ましい。接着層３０として両面テープを採用してもよい。
【００４０】
（床シート１０による効果）
従来、潜熱蓄熱材が歩行などの繰り返し負荷に耐えず、漏れ出したりするおそれがあるので、潜熱蓄熱材を床シートに用いる場合、潜熱蓄熱材を負荷から守る保護枠や保護板を設ける必要があった。しかし、これらの保護枠や保護板は嵩張るため、結局、実用的な床シートは得られなかった。床シート１０では、潜熱蓄熱材ＬをマイクロカプセルＭに包含させ、さらに、柔軟性のある樹脂層２１に封ずることで、歩行などの繰り返し負荷により潜熱蓄熱材Ｌが漏れ出すおそれを抑制できるので、保護枠や保護板が不要である。そのため、床シート１０は実用的な厚さに形成できる。
【００４１】
さらに、床シート１０では、柔軟性の蓄熱シート２０が使用者の足裏に直接触れるため、感触が柔らかく、また、適温に調節された蓄熱シート２０の温度を直に感じることができる。
【００４２】
（第２の実施形態）
本発明の第２の実施形態に係る床材である床シート１１について、図面を参照しつつ、説明する。
【００４３】
床シート１１は、前述の床シート１０とほぼ同様であるが、図３に示すように、蓄熱シート２０がその面のうち使用者の足が触れる面に加飾層２２をさらに備える。
【００４４】
加飾層２２は、樹脂層２１上に配置されている。加飾層２２と樹脂層２１との間に、他の層、例えば、接着層などが介在していてもよい。
【００４５】
加飾層２２は、木目調、大理石調等の模様を表現する色材と、当該色材が付着している受理層とを含む。加飾層２２は、例えば、インクジェット印刷などの公知の印刷法により、色材を含んだインク（放射線硬化性インク等）を用いて受理層上に木目調、大理石調等の模様を印刷することで形成できる。また、色材により画像が形成されているシールを接着層を介して受理層に貼付することでも形成できる。
【００４６】
色材は、潜熱蓄熱材に溶けないのであれば任意である。例えば、潜熱蓄熱材がパラフィンなどの脂肪族炭化水素である場合、色材として顔料や水性染料を用いることができる。
【００４７】
受理層は、前述の色材を付着でき、且つ、蓄熱シート２０全体の柔軟性を損なわない限り、任意であり、インク受理層などであってもよいが、多孔性であることが好ましく、例えば、紙、不織布（合成樹脂不織布等）等を用いることができる。また、受理層は、色材の付着性を付与又は改善するために、インク受理層が設けられたものでもよい。
【００４８】
受理層上に接着剤により樹脂層２１を貼り付けてもよいし、受理層上に当該受理層を基材として樹脂層２１を形成してもよい。例えば、多孔性受理層上に可塑剤を混ぜるなどして柔らかくした樹脂材料を塗布して樹脂層２１を形成することなどにより、多孔性受理層の孔に樹脂材料を含ませることにより多孔性受理層を樹脂層２１に付着させてもよい。多孔性受理層の孔に樹脂層２１の樹脂が入り込み両者が物理的に結合しているため、樹脂層２１から浸潤したパラフィンなどの潜熱蓄熱材Ｌにより剥離するおそれがないので、多孔性受理層上に樹脂層２１を形成することが好ましい。
【００４９】
（床シート１１による効果）
床シート１１では、潜熱蓄熱材ＬをマイクロカプセルＭに包含させ、さらに、柔軟性のある樹脂層２１に封ずることで、歩行などの繰り返し負荷により潜熱蓄熱材Ｌが漏れ出すおそれを抑制しているが、それでも、長期間使用すると、潜熱蓄熱材Ｌが蓄熱シート２０の表面に微量漏れ出すので、蓄熱シート２０の表面に単純に印刷を施すと滲みや色落ちが発生するおそれがあった。しかし、床シート１１では、色材として潜熱蓄熱材Ｌに溶けないものを使用しているため、こうした滲みや色落ちは発生しない。また、受理層が緩衝地帯として働き得るため、受理層の表側に付着されている色材と、受理層の裏側から浸透する潜熱蓄熱材Ｌとの接触が抑制されるので、滲みや色落ちに加えて、潜熱蓄熱材Ｌにより受理層から色材が剥離することも抑制され得る。
【００５０】
（変形例１）
上述の実施形態において、図４、５に示すように、蓄熱シート２０はその面のうち使用者の足が触れる面の最上層（具体的には、樹脂層２１又は加飾層２２の上）に保護層２３をさらに備えてもよい。保護層２３は、樹脂層２１及び加飾層２２を保護し、例えば、樹脂層２１及び加飾層２２の摩耗や樹脂層２１及び加飾層２２からの潜熱蓄熱材Ｌの漏出を抑える役割を果たす。保護層２３は、蓄熱シート２０全体の柔軟性が損なわれない限り、任意の材料から形成してもよく、例えば、ニスなどのオーバーコート剤により形成されるオーバーコート層でもよい。保護層２３に保護されることで樹脂層２１の表面や加飾層２２の表面の摩耗が抑えられるので、製品寿命の延長が見込める。
【００５１】
（変形例２）
上述の実施形態では、蓄熱シート２０に接着層３０を設ける例を示したが、接着層３０の代わりに滑り止め層を設けてもよい。滑り止め層は、蓄熱シート２０よりも静止摩擦係数が大きくなるよう構成される。滑り止め層は、例えば、ゴム、シリコン、アクリルなどの柔軟な樹脂から構成される。
【００５２】
（変形例３）
上述の実施形態では、床シート１０、１１を、施工済みの床の表面に後から接着するが、この代わりに、蓄熱シート２０の面のうち使用者の足が触れない面に蓄熱シート２０を支える基体を予め設け、床シート１０、１１を床板又はパネルとしてもよい。蓄熱シート２０と基体とは、接着層３０を介して接着されていてもよいし、接着層３０を省略して、蓄熱シート２０の表面上に基体が直接設けられてもよい。基体は、蓄熱シート２０よりも剛性が高ければ任意であり、例えば、合板、木板、アクリル板などの樹脂板等が挙げられる。
【００５３】
（変形例４）
上述の実施形態では、蓄熱シート２０に接着層３０を設ける例を示し、変形例２では、滑り止め層を設ける例を示し、変形例３では基体を設ける例を示したが、接着層３０、滑り止め層、及び基体は省略してもよい。即ち、蓄熱シート２０単体でも、床シート、さらには、変形例３で示す床板又は床パネル、変形例１０に示す床材として機能し得る。また、紙等の基材に樹脂層２１を形成したもの単体（後述のパッシブ蓄熱建材「蓄熱シート」等）を、床材としてもよい。
【００５４】
（変形例５）
上述の実施形態では、床シート１０、１１の一面は使用者の足に触れ、他面は使用者の足に触れないものとして説明したが、床シート１０、１１をリバーシブルに構成してもよい。
【００５５】
例えば、第１の実施形態において、接着層３０を省略してもよい。これにより、例えば、床シート１０の一面が摩耗した場合に、床シート１０を裏返すことで、摩耗していない他面を使用者の足に触れる面とすることができるので、製品寿命が延長される。
【００５６】
また、例えば、第２の実施形態において、蓄熱シート２０の他面に接着層３０の代わりに加飾層２２をさらに設けてもよい。これにより、例えば、床シート１１の一面が摩耗した場合に、床シート１１を裏返すことで、摩耗していない他面を使用者の足に触れる面とすることができるので、製品寿命が延長される。
【００５７】
（変形例６）
変形例５において、蓄熱シート２０の両面の最上層に変形例１の保護層２３を設けることがより好ましい。
【００５８】
（変形例７）
変形例６において、蓄熱シート２０の両面に設ける保護層２３を、アクリルなどの柔軟な樹脂から構成することなどにより、滑り止め層としても機能するように構成することがさらに好ましい。
【００５９】
（変形例８）
以上の実施形態及び変形例では、樹脂層２１の表面に加飾層２２や保護層２３を形成する場合について触れたが、蓄熱シート２０全体の柔軟性が損なわれない限り、任意の追加層を設けてもよい。例えば、追加層として、潜熱蓄熱材Ｌが蓄熱シート２０の表面に漏出することを抑制するための閉込め層を設けてもよい。なお、この文脈において、「抑制」とは、漏出を完全に防止することも包含する。この閉込め層は、液状の潜熱蓄熱材Ｌを実質的に通さないのであれば任意であり、例えば、気密性である又は気密性の高い、紙、不織布、多孔質層、オーバーコート層などであってもよい。また、加飾層２２、インク受理層、保護層２３などが閉込め層の機能を兼ねるものであってもよい。例えば、加飾層２２の受理層が閉込め層として機能し、当該受理層上に色材を含むインクで画像層を印刷する場合、漏れ出した潜熱蓄熱材Ｌが画像に届かないので、画像層の滲みや剥落が抑制される。
【００６０】
（変形例９）
第２の実施形態において、色材として、潜熱蓄熱材に溶けるものを用いてもよい。この変形例は、マイクロカプセルＭが十分に丈夫であったり、あるいは、加飾層２２と樹脂層２１との間に閉込め層が設けられていたりして、蓄熱シート２０の表面に漏出した潜熱蓄熱材Ｌが色材に触れない場合に、有利である。また、本変形例において、受理層が十分に厚ければ、受理層は緩衝地帯として働くので、受理層の表側に付着されている色材と、受理層の裏側から浸透する潜熱蓄熱材Ｌとの接触が抑制され、その結果、潜熱蓄熱材Ｌによる、滲み、色落ち、及び受理層からの色材の剥離が抑制される。
【００６１】
（変形例１０）
以上の実施形態及び変形例では、使用者の足が蓄熱シート２０に触れるように構成されている床シート１０、１１、床パネル、及び床板について説明したが、本発明はこれらに限定されるわけではなく、使用者の足が蓄熱シート２０に触れるように構成されさえいれば任意の床材の形態であってもよい。
【００６２】
（実施例）
パッシブ蓄熱建材「蓄熱シート」（ＤＩＣ社製、マイクロカプセル化パラフィン配合ポリ塩化ビニルシート、厚さ３ｍｍ）の一面にある多孔性不燃紙（マイクロカプセル化パラフィン配合ポリ塩化ビニルを形成するための基材）にインクジェットプリンタを用いて木目調の装飾を印刷した。
【００６３】
その後、ニスを用いて印刷面上にオーバーコート層を施した。最後に、蓄熱シートの他面（不燃紙がある面の反対の面）に接着剤を塗布し、２ｍｍの厚さの合板に添付して、床パネルを得た。
【００６４】
この床パネルを床の上に置き、被験者にその上を歩かせることで、官能試験を行った。その結果、柔らかな踏み心地が得られた。また、この床パネルの印刷面は、実用に耐える程の耐摩擦性を示した。なお、温度に対する官能試験は行っていないが、上記「蓄熱シート」が蓄熱機能及び蓄冷機能を有するので、当該「蓄熱シート」は、足で踏んだときに、熱かったり冷たかったりせず、適度な温度を感じることができると考えられる。
【符号の説明】
【００６５】
１０、１１      床シート
２０      蓄熱シート
２１      樹脂層
２２      加飾層
２３      保護層
３０      接着層
ＭＬ  マイクロカプセル化潜熱蓄熱材
Ｌ    潜熱蓄熱材
Ｍ    マイクロカプセル
【図１】
2019143329.tif 000003
【図２】
2019143329.tif 000004
【図３】
2019143329.tif 000005
【図４】
2019143329.tif 000006
【図５】
2019143329.tif 000007